(57)【要約】【課題】  振動素子及びそれを含む携帯用水分供給装置を提供する。【解決手段】  振動素子１０は、正面に上部電極を備えた環状の超音波振動子４６と、超音波振動子４６の背面に位置して中央に振動部４２を一体に備えた下部電極４４と、下部電極４４の外周を取り囲む弾性ハウジング２０とを含む。下部電極中央の振動部４２は円状薄板で構成され、その外周に沿って下部電極４４の背面が突出するように段差が形成され、円状薄板の中央部には多数の液放出孔ｈが設けられている。【選択図】  図１
2011156528.tif 000002
【特許請求の範囲】
【請求項１】
正面に上部電極を備えた環状の超音波振動子と、
前記環状の超音波振動子の背面に位置して中央に振動部を一体に備えた下部電極と、
前記下部電極の外周を取り囲む弾性ハウジングとを含み、
前記下部電極の中央に備えられた前記振動部は、円状薄板で構成され、その外周に沿って下部電極の背面が突出するように段差が形成され、
前記円状薄板の中央部に複数の液放出孔を備えていることを特徴とする振動素子。
【請求項２】
前記弾性ハウジングは、弾性重合体からなり、前記下部電極の外周を固定するが前記振動部の振動を拘束しないように弾性を有することを特徴とする請求項１に記載の振動素子。
【請求項３】
請求項１又は２記載の振動素子と、
前記振動素子に供給される液体を貯蔵する貯蔵タンクと、
前記貯蔵タンクを着脱可能に収納する貯蔵タンク収納室が上部背面に形成され、上部正面には噴霧孔が形成された外部ケースとを含み、
前記振動素子の弾性ハウジングは、厚さ方向に形成された貫通孔を有し、前記振動部から霧化された液体が前記噴霧孔に排出されるように前記噴霧孔と前記貯蔵タンクとの間に結合されていることを特徴とする携帯用水分供給装置。
【請求項４】
前記振動素子の液放出孔は、前記貯蔵タンク側の直径が前記噴霧孔側の直径よりも大きいテーパ状に形成されていることを特徴とする請求項３に記載の携帯用水分供給装置。
【請求項５】
前記弾性ハウジングの背面には、前記貯蔵タンクの一側が挿入される排出部挿入管が突設されていることを特徴とする請求項３に記載の携帯用水分供給装置。
【請求項６】
前記外部ケースには、一端が前記噴霧孔に連設され他端が前記弾性ハウジングと結合する噴霧管が更に備えられたことを特徴とする請求項３に記載の携帯用水分供給装置。
【請求項７】
前記噴霧管は、前記噴霧孔側にいくほど前記噴霧管の径が大きくなるテーパ状に形成されていることを特徴とする請求項６に記載の携帯用水分供給装置。
【請求項８】
前記噴霧管は、トルマリン鉱石又はトルマリン鉱石粉末の混合物として製造されたことを特徴とする請求項６に記載の携帯用水分供給装置。
【請求項９】
前記噴霧孔が形成された前記外部ケースの上部を覆う蓋と、前記蓋の位置によって電源をオン／オフする制御部とを更に含むことを特徴とする請求項３に記載の携帯用水分供給装置。
【請求項１０】
前記蓋は、前記外部ケースにヒンジ結合されていることを特徴とする請求項９に記載の携帯用水分供給装置。
【請求項１１】
前記蓋は、前記外部ケースに摺動結合されていることを特徴とする請求項９に記載の携帯用水分供給装置。
【請求項１２】
前記噴霧孔の外周面に沿って皮膚に有益な波長の光線を照射する発光手段が更に備えられたことを特徴とする請求項３に記載の携帯用水分供給装置。
【請求項１３】
前記外部ケースには、下端部の内側にバッテリーを着脱可能に装着するバッテリー装着室が更に備えられることを特徴とする請求項３に記載の携帯用水分供給装置。
【請求項１４】
前記外部ケースには、前記バッテリー装着室に装着された充電器に電気を供給することができる充電コネクタが更に備えられたことを特徴とする請求項１３に記載の携帯用水分供給装置。
【請求項１５】
前記外部ケースには、前記貯蔵タンク収納室に装着された貯蔵タンクの背面を加圧する貯蔵タンク固定部が更に備えられたことを特徴とする請求項３に記載の携帯用水分供給装置。
【請求項１６】
前記貯蔵タンク固定部は、一側の端部が前記外部ケースにヒンジ結合される貯蔵タンク加圧板、前記貯蔵タンク加圧板の正面に突設されて前記貯蔵タンクと接する加圧板突起、及び前記外部ケースの他側の端部に位置して前記外部ケースに着脱可能に結合する締結具を含むことを特徴とする請求項１５に記載の携帯用水分供給装置。
【請求項１７】
前記弾性ハウジングと結合された貯蔵タンクの端部に磁石が備えられることを特徴とする請求項３に記載の携帯用水分供給装置。
【発明の詳細な説明】
【技術分野】
【０００１】
本発明は、振動素子、より詳細には、別途のフィルターなしでも液体を霧化させることができる振動素子と、それを含む携帯用水分供給装置に関する。
【背景技術】
【０００２】
一般的に、乾燥した皮膚及び空気に水分を供給する水分供給装置は、水を加熱するか、超音波振動子を使って水を微細な粒子に変化させて、乾燥した室内を加湿するようになっている。このような水分供給装置は、比較的広い場所を加湿するためのものであって、加湿容量が大きいために装置の体積が大きく、重量がある。このため、携帯しにくく、乾燥した皮膚に集中的に水分を供給しにくい。
【０００３】
従来、このような問題点を解決するために、特許文献１に開示されたように、樹脂型フィルターを通じて一定量ずつ排出される液体を超音波振動子で霧化させた後、皮膚に供給する携帯用水分供給装置を開発した。
【０００４】
しかし、前記のように、水分に長期間入れられていた樹脂型フィルターを使って超音波振動子に液体を供給する場合、前記樹脂型フィルターから悪臭が出るという問題点があった。それだけではなく、前記樹脂型フィルターに一定量の水分が供給し続けられて、カビのような菌類又は細菌が容易に増殖する環境を提供するものとなった。
【０００５】
このため、前記のように、汚染された樹脂型フィルターを通過した水分が皮膚に供給されて、むしろ皮膚が危害要素に露出されてしまうという問題点が発生した。また、汚染された樹脂型フィルターにより、容器内に貯蔵されている液体全体にも汚染が進行する問題点が発生した。
【０００６】
更に、樹脂型フィルターを使う場合、皮膚に有用な成分をフィルタリングしてしまい、皮膚改善効果を低下させるという問題点があった。また、前記樹脂型フィルターが所定の長さ以上に形成されなければならず、前記樹脂型フィルターと超音波振動子とが分離されているために、水分供給装置の小型化に限界があった。
【先行技術文献】
【特許文献】
【０００７】
【特許文献１】実用新案登録第３１４０４４４号公報
【発明の概要】
【発明が解決しようとする課題】
【０００８】
本発明が解決しようとする第１の課題は、別途のフィルターを備えなくても、供給された液体を霧化することができる振動素子を提供することである。
【０００９】
本発明が解決しようとする第２の課題は、前記振動素子を装着して構造が単純になって携帯性が向上した携帯用水分供給装置を提供することである。
【課題を解決するための手段】
【００１０】
本発明は、前記第１の課題を解決するものとして、正面に上部電極を備えた環状の超音波振動子と、前記超音波振動子の背面に位置して中央に振動部を一体に備えた下部電極と、前記下部電極の外周を取り囲む弾性ハウジングとを含み、前記下部電極の中央に備えられた前記振動部は円状薄板で構成され、その外周に沿って前記下部電極の背面が突出するように段差が形成され、前記円状薄板の中央部には多数の液放出孔を備えていることを特徴とする振動素子を提供する。
【００１１】
本発明の一実施形態によれば、前記弾性ハウジングは弾性重合体からなり、前記下部電極の外周を固定するが前記振動部の振動を拘束しないようにすることが望ましい。
【００１２】
本発明は、前記第２の課題を解決するものとして、前記振動素子と、前記振動素子に供給される液体が貯蔵される貯蔵タンクと、前記貯蔵タンクを着脱可能に収納する貯蔵タンク収納室が上部背面に形成され、上部正面には噴霧孔が形成された外部ケースとを含み、前記振動素子の弾性ハウジングは、厚さ方向に貫通孔が形成され、前記振動部から霧化された液体が前記噴霧孔に排出されるように、前記噴霧孔と前記貯蔵タンクとの間に結合されたことを特徴とする携帯用水分供給装置を提供することができる。
【００１３】
本発明の一実施形態によれば、前記振動素子の液放出孔は、前記貯蔵タンク側の直径が前記噴霧孔側の直径より大きいテーパ状に形成される。
【００１４】
また、前記弾性ハウジングの背面には、前記貯蔵タンクの一側が挿入される排出部挿入管が突設されうる。
【００１５】
また、前記外部ケースには、一端が前記噴霧孔に連設され他端が前記弾性ハウジングと結合する噴霧管が更に備えられる。この場合、前記噴霧管は、テーパ状に形成されるが、前記噴霧孔側にいくほど前記噴霧管の径が大きくなるように形成される。ここで、前記噴霧管は、トルマリン鉱石又はトルマリン鉱石粉末の混合物で製造可能である。
【００１６】
また、前記携帯用水分供給装置は、前記噴霧孔が形成された前記外部ケースの上部を覆う蓋と、前記蓋の位置によって電源をオン／オフする制御部とを、更に含みうる。この場合、前記蓋は、前記外部ケースにヒンジ結合されるか或いは前記外部ケースに摺動結合されうる。
【００１７】
また、前記噴霧孔の外周面に沿って皮膚に有益な波長の光線を照射する発光手段が更に備えられうる。
【００１８】
また、前記外部ケースには、下端部の内側にバッテリーが着脱可能に装着されるバッテリー装着室が更に備えられうる。ここで、前記外部ケースには、前記バッテリー装着室に装着された充電器に電気を供給することができる充電コネクタが更に備えられうる。
【００１９】
また、前記外部ケースには、前記貯蔵タンク収納室に装着された前記貯蔵タンクの背面を加圧する貯蔵タンク固定部が更に備えられうる。この場合、前記貯蔵タンク固定部は、一側の端部が前記外部ケースにヒンジ結合される貯蔵タンク加圧板、前記貯蔵タンク加圧板の正面に突設されて前記貯蔵タンクと接する加圧板突起、及び、前記外部ケースの他側の端部に位置して該外部ケースに着脱可能に結合する締結具を含むことができる。
【００２０】
更に、前記弾性ハウジングと結合された貯蔵タンクの端部に磁石が備えられうる。
【発明の効果】
【００２１】
本発明によれば、振動素子を装着するだけで液体を供給することができるので、フィルターの装着が不要で携帯用水分供給装置の小型化が可能であり、液体が汚染される恐れがなく、振動がハウジングに吸収されてノイズの発生を防止することができる。また、ユーザの使用目的によって液体を入れ替え、皮膚に保湿、美白などの効果を与え、営養分を供給することができる。
【図面の簡単な説明】
【００２２】
【図１】本発明の一実施形態による振動素子の斜視図である。
【図２】携帯用水分供給装置の断面図である。
【図３】本発明の一実施形態による携帯用水分供給装置の正面側から見た斜視図である。
【図４】本発明の一実施形態による携帯用水分供給装置の背面側から見た斜視図である。
【図５】本発明の一実施形態による携帯用水分供給装置の底面図である。
【発明を実施するための形態】
【００２３】
図１に示すように、本発明による振動素子１０は、正面に上部電極を備えた環状の超音波振動子４６と、前記環状の超音波振動子４６の背面に位置して中央に振動部４２を一体に備えた下部電極４４と、前記下部電極４４の外周を取り囲む弾性ハウジング２０とを含む。
【００２４】
前記下部電極４４の中央に備えられた振動部４２は、円状薄板で構成され、その外周に沿って下部電極４４の背面が突出するように段差が形成され、前記円状薄板の中央部には多数の液放出孔ｈが備えられている。
【００２５】
前記弾性ハウジング２０は、前記環状の超音波振動子４６と接しないように備えられることが振動効率を極大化するために望ましいが、前記環状の超音波振動子４６の正面を覆うように備えられてもよい。この場合には、前記環状の超音波振動子４６の正面側に移動する液体の漏れを効率的に遮断することができるという利点がある。なお、図１では、環状の超音波振動子４６、下部電極４４及び振動部４２の形状を参照するため、前記弾性ハウジング２０の一部形状のみ示されている。
【００２６】
前記下部電極４４と振動部４２は、一体に形成されており、前記振動部４２の厚さが前記下部電極４４の厚さより薄いため、前記下部電極４４の背面が前記円形の振動部４２の外周に沿って突出するように段差が形成される。
【００２７】
また、前記環状の超音波振動子４６は、圧電セラミックスであって、前記下部電極４４と一体に形成された振動部４２に振動を加えることにより、前記振動部４２に供給された液体を霧化する。
【００２８】
ここで、正面及び背面を区分する基準として、前記環状の超音波振動子４６で上部電極が位置した方向に形成された面を正面といい、この正面の逆方向に位置した面を背面という。また、実際に前記振動素子１０が後述の携帯用水分供給装置１００（図２）に装着される時、前記正面は、携帯用水分供給装置１００の前に向ける正面方向に位置し、前記背面は、携帯用水分供給装置１００の後に向ける背面方向に位置する。
【００２９】
本発明による振動素子１０は、下部電極４４の中心部に円状薄板の振動部４２が一体に形成されているため、構成が非常に簡単でありながらも、前記環状の超音波振動子から薄板状の振動部４２に振動が効率的に伝達されうるという利点がある。
【００３０】
すなわち、従来は、環状の超音波振動子と、振動板又は振動メンブレインとが直接的に接しないように構成されていたが、本発明による振動素子１０では、下部電極４４が環状の超音波振動子と直接的に接しており、前記下部電極４４と振動部４２とが一体に形成されているため振動効率が優れている。
【００３１】
また、下部電極４４の外周を弾性ハウジング２０が取り囲んでいるため、下部電極は固定されながらも、前記弾性ハウジング２０が保有している弾性により、前記振動部４２の振動が拘束されず、振動効率が優れるという利点もある。
【００３２】
以下、望ましい実施形態を掲げて本発明を更に詳細に説明する。しかし、これら実施形態は、本発明をより具体的に説明するためのものであって、本発明の範囲をこれに限定するものではない。
【００３３】
前記弾性ハウジング２０は、弾性重合体からなり、前記下部電極４４の外周を固定するが前記振動部４２の振動を拘束しないようにすることが望ましい。
【００３４】
弾性重合体の例として、スチレンブロック共重合体、オレフィン系エラストマー、塩化ビニル系エラストマー、塩素化ポリエチレン系エラストマー、ウレタン系エラストマー、ポリエステル系エラストマー、ポリアミド系エラストマー、フッ素系エラストマー、シリコン系エラストマーなどが挙げられる。
【００３５】
但し、前記弾性ハウジング２０を製造する弾性重合体の種類は、これらに限定されず、前記振動素子１０を携帯用水分供給装置１００に装着した時、前記弾性ハウジング２０と前記携帯用水分供給装置１００との結合位置から液体が漏れない程度であれば、如何なるものも使用可能である。
【００３６】
図２に示すように、本発明による携帯用水分供給装置１００は、前記の振動素子１０と、前記振動素子１０に供給される液体を貯蔵する貯蔵タンク１１０と、前記貯蔵タンク１１０を着脱可能に収納する貯蔵タンク収納室１３１が上部背面に形成され、上部正面には噴霧孔１３２が形成された外部ケース１３０とを含む。
【００３７】
前記振動素子１０の弾性ハウジング２０は、厚さ方向に形成された貫通孔２２を有し、霧化された液体が前記振動部４２から前記噴霧孔１３２に排出されるように、前記噴霧孔１３２と前記貯蔵タンク１１０との間に結合される。
【００３８】
ここで、前記貯蔵タンク１１０側に位置した前記弾性ハウジング２０の背面には、前記貯蔵タンク１１０の一側が挿入される排出部挿入管２４が突設されうる。
【００３９】
前記貯蔵タンク１１０は、液体ｗが貯蔵される容器１１２と、前記容器１１２の下端に形成されて、前記液体ｗが排出される排出部１１４とを含む。従って、前記弾性ハウジング２０の排出部挿入管２４が、前記排出部１１４と結合しながら、前記貯蔵タンク１１０内の液体ｗが流失されることなく、前記振動部４２に直ちに供給されうる。
【００４０】
また、前記外部ケース１３０には、一端が前記噴霧孔１３２に連設され、他端が前記弾性ハウジング２０と結合する噴霧管１３４が更に備えられうる。
【００４１】
ここで、背面とは、事物の裏面を指称する。すなわち、本発明による携帯用水分供給装置１００から霧化された液体ｗの排出方向が正面方向であり、背面は前記正面の反対側に位置した面を示す。
【００４２】
一般に、水分供給装置は、水を粒子化して排出するものであり、その種類は、遠心噴霧式、超音波式、電熱式、フィルター気化式がある。遠心噴霧式は、吸い込んだ水を遠心力で飛ばして粒子化するものであり、電熱式は、ヒーターや電極棒で水を加熱して蒸気を発生させるものである。また、フィルター気化式は、フィルターの間に空気を通過させて水を蒸発させるものであり、超音波式は、電気回路で特定周波数の電気信号を発生して水中に置かれた振動子に伝達して超音波を発生させれば、推進機などの後に生じる真空現象であるキャビテーション（cavitation）が生じて細密な霧粒子を発生させるものである。
【００４３】
本発明による携帯用水分供給装置１００は、超音波式で液体ｗを粒子化するものであり、前記環状の超音波振動子４６から超音波が発生して液体ｗが霧化される。ここで、前記環状の超音波振動子４６は、圧電セラミックスである。すなわち、前記環状の超音波振動子４６の共振現象によって電気的エネルギーが機械的エネルギーに変換される圧電形状が発生し、これにより超音波が発生する。
【００４４】
また、一般的な超音波振動子の場合、液体を霧化させるための振動子の周波数帯域は、凡そ１．５ＭＨｚであるのに対して、本発明による環状の超音波振動子４６の周波数帯域は、９０ｋＨｚないし５００ｋＨｚであり、振動によるノイズが一般的な超音波振動子に比べて少ない。これだけではなく、前記下部電極４４の外周に前記弾性ハウジング２０が結合されているため、前記下部電極４４の外周面に伝達される振動が前記弾性ハウジング２０で吸収され、本発明による携帯用水分供給装置１００のノイズを最小化することができる。
【００４５】
本発明の一実施形態における液放出孔ｈは、図２に示すように、両端側の直径を同一にすることができる。或いは、他の実施形態では、前記貯蔵タンク１１０側の直径が前記噴霧孔１３２側の直径より大きくなるように、前記液放出孔ｈをテーパ状に形成することもできる。
【００４６】
振動部４２には、液放出孔ｈが穿孔されているが、別途の力が与えられる前には前記貯蔵タンク１１０内の液体ｗが前記液放出孔ｈに漏れない。すなわち、液体ｗの表面張力及び液体ｗの付着力などの均衡により、前記液放出孔ｈに液体ｗが漏れないようにできる。特に、液放出孔ｈは、他の実施形態のようにテーパ状に形成すると、液放出孔ｈの端部にこぼれた液滴に液体間の引力が強く作用することが分かる。
【００４７】
液体分子相互間の引力作用を説明するに先立って、幾つかの用語を定義する。すなわち、前記液放出孔ｈに位置した液体ｗの分子が層を成し、表面張力によって液体ｗが前記噴霧孔１３２側の液放出孔ｈの端部で液滴を成すとき、前記液滴表面に位置した液体の分子層を表面層といい、前記表面層と接し前記表面層を引き付ける液体分子層を引力層という。
【００４８】
本発明の他の実施形態による前記振動部４２は、引力層の液体分子個数が更に多いため、前記振動部４２の引力層から表面層の液体分子を引き付ける力が更に強く作用することが分かる。
【００４９】
しかし、本発明による振動部４２の液放出孔ｈは、その形状に関係なく、別途の力が作用する時にのみ液体ｗを排出する。従って、前記のように液体の表面張力、付着力及び引力などが平衡を成すことにより、前記振動素子１０は、前記振動部４２に重力以外の別途の力が加えられる時にのみ、前記液体ｗを一定量ずつ排出して霧化することができる。
【００５０】
前記振動素子１０の駆動によって液体ｗが霧化される過程は、次の通りである。
【００５１】
前記液体ｗは、表面張力によって液放出孔ｈに留まっているが、前記環状の超音波振動子４６によって振動する前記振動部４２は、その振動により前記液放出孔ｈにこぼれていた液体ｗを打つようになる。この際、前記振動部４２の背面側で真空現象（cavitation）が起きて前記液体ｗが霧のように微粒子になり、霧化された前記液体ｗは、前記噴霧管１３４側に移動しながら皮膚に供給される。
【００５２】
ここで、前記環状の超音波振動子４６は一定方向に振動を生じるため、本発明による携帯用水分供給装置１００に、別途ファンを備えなくても、粒子化された液体が前記環状の超音波振動子４６から力を受けて前記噴霧孔１３２側に移動しうる。従って、ファン稼動によるノイズ及び電力消耗が減るため、バッテリーを長く使うことができるだけでなく、静かな場所でも容易に使用できる。
【００５３】
また、ファンが装着されなくてもよいので、本発明による携帯用水分供給装置１００を小型、軽量化することができる利点がある。更に、フィルターが不要であるから、前記振動素子１０が結合される前記排出部１１４の長さを従来に比べて短く形成することができ、携帯用水分供給装置１００の小型化が可能である。
【００５４】
前記弾性ハウジング２０は、前記排出部１１４に結合すると同時に、前記噴霧管１３４の両側に突設されたパッキング固定バー１３６とも結合することにより、前記携帯用水分供給装置１００内に更に堅固に結合されうる。図２には、前記パッキング固定バー１３６が互いに上下方向に位置するように示されているが、その位置は上下方向に限定されず、水平方向になるように形成してもよい。
【００５５】
前記のように霧化された液体ｗは、前記噴霧管１３４及び前記噴霧孔１３２を通じて外部に排出される。この際、前記霧化された液体粒子が再び液化されないようにするために、本発明の一実施形態による前記噴霧管１３４は、前記噴霧孔１３２側にいくほど直径が大きくなるように傾いたテーパ状に形成される。このように噴霧管１３４をテーパ状に形成することによって、外部に排出される霧化された液体が前記噴霧管１３４に衝突して液化されることを防止することができる。
【００５６】
前記噴霧管１３４は、トルマリン鉱石又はトルマリン鉱石粉末をプラスチックのような高分子物質と混合して製造されうる。この噴霧管１３４を通過させることで皮膚に供給される水分を陰イオンと共に供給するか、或いは前記排出部１１４に磁石１１７を設け、前記容器１１２内の水を磁化水状態にして、皮膚に供給することができる。この場合、磁石１１７は、水が容易に磁化水になるように磁束密度が１１０００ガウス以上であるものを使うとよい。
【００５７】
一般に、トルマリン（tourmaline）は６角柱状の結晶を有する硼珪酸塩で、六方晶系に属する天然鉱物である。前記トルマリン結晶は、電気を発生する特性を有して電気石とも呼ばれる。このようなトルマリンの結晶は、身体に適した微弱電流を発生させ続け、前記結晶に水分が触れれば、瞬間的に水が電気分解しながら、生成されるヒドロキシル陰イオン（Ｈ３Ｏ２）によって、水を凡そｐＨ７．４にアルカリ化する。このような作用によって、前記水分が皮膚に供給されれば、保湿効果に優れた水分が皮膚に供給されるだけではなく、細胞機能が活性化される。
【００５８】
また、図２に示すように、前記磁石１１７を排出部１１４に備える場合、磁力により、水分子を構成する水素は磁石１１７のＮ極側に、酸素はＳ極側に移動しようとする性質が発生する。これによって水分子が迅速に回転を行う。この際、磁場内に形成された陰電荷と衝突して１５個ないし２０個の水分子となり、以前の水分子クラスターで水分子が細分化された後、再び結合して５個ないし６個の水分子で一つのクラスターを成す。このような水を磁化水という。
【００５９】
前記のように、一つのクラスターを成す水分子の個数が減りながら、前記水分が細胞内に容易に吸収されることができる。そして、前記磁化水は蒸発が遅いため、皮膚に長く水分を維持することができる。
【００６０】
本発明の一実施形態による携帯用水分供給装置１００は、前記電源ボタン１５２を使って電源をオン／オフすることもできるが、制御部１６０により、前記蓋１５６の位置によって電源がオン／オフされるように制御することもできる。
【００６１】
前記携帯用水分供給装置１００は、不使用時に噴霧管１３４を通じて前記振動部４２にホコリが入り、或いは異物が挿入されて前記振動部４２が破損されることを防止するために、蓋１５６を備えることができる。
【００６２】
また、本発明による携帯用水分供給装置１００は、前記外部ケース１３０に摺動結合するか或いは前記外部ケース１３０にヒンジ結合する前記蓋１５６の位置を把握して、電源を前記制御部１６０でオン／オフ制御することができる。
【００６３】
例えば、前記外部ケース１３０と前記蓋１５６とが摺動結合する場合、前記蓋１５６が前記噴霧孔１３２の一部分や全体を覆っている時、前記携帯用水分供給装置１００の電源を遮断することができる。従って、この場合は、電源ボタン１５２を押しても、前記携帯用水分供給装置１００が駆動されないようにできる。
【００６４】
また、前記噴霧孔１３２が完全に開放されるように、前記蓋１５６を上部に移動した時、前記制御部１６０で電源を供給して前記携帯用水分供給装置１００を駆動させうる。この際、前記携帯用水分供給装置１００は、前記電源ボタン１５２を通じてもオン／オフ制御が可能ならしめる。
【００６５】
すなわち、前記噴霧孔１３２及び噴霧管１３４を掃除するために前記蓋１５６を開くが、前記携帯用水分供給装置１００の駆動が不要な場合には、前記電源ボタン１５２を通じて本発明による携帯用水分供給装置１００の電源をオフすることもできる。また、財布やハンドバッグ内で前記携帯用水分供給器の電源ボタン１５２が押されても、前記蓋１５６が閉状態では、前記電源ボタン１５２が押されても、前記携帯用水分供給器が駆動されないように制御することができる。
【００６６】
図３及び図４には、本発明の一実施形態による携帯用水分供給装置の斜視図が示されている。
【００６７】
本発明の一実施形態による携帯用水分供給装置１００においては、前記外部ケース１３０の正面に噴霧孔１３２及び電源ボタン１５２が位置する。この電源ボタン１５２を押すと、前記携帯用水分供給装置１００が駆動され、前記噴霧孔１３２を通じて霧化された液体ｗが排出される。前記霧化された液体ｗを皮膚に供給することによって、乾燥した皮膚に水分が供給され、皮膚がしっとりした状態を維持できるように補助する。
【００６８】
本発明の一実施形態による携帯用水分供給装置１００には、前記噴霧孔１３２の外周面に沿って皮膚に有益な波長の光線を照射する多数の発光手段Ｌ、又はリング状の発光手段（図示せず）が備えられうる。
【００６９】
発光手段Ｌは、前記粒子化された液体ｗと相俟って皮膚を改善させうる。前記発光手段Ｌは、６２３ｎｍ〜６８０ｎｍの波長や７８０ｎｍ〜９８０ｎｍの波長の光線を発光できるが、このような波長の光を発生する発光手段Ｌとしては、発光ダイオード又はレーザダイオードが適用可能である。
【００７０】
前記波長の光線は、体内の自然な生体反応を起こして老化した細胞を活性化し、可溶性コラーゲンと弾力纎維とを生産して、しわと老化した皮膚の細胞再生を促進させ、老化した皮膚を改善するだけではなく弾力的にし、特に保湿力を強く増進させて、しっとりした状態にする。従って、前記発光手段Ｌを通じて活性化された細胞が前記液体ｗの吸収を助けるようになり、これによって皮膚がより一層容易に改善されうる。
【００７１】
また、図４に示すように、前記外部ケース１３０の背面には、液体ｗを供給する貯蔵タンク１１０が挿入される貯蔵タンク収納室１３１、前記貯蔵タンク１１０を固定させる貯蔵タンク固定部１７０、及び前記携帯用水分供給装置１００の電力源であるバッテリーを設置するバッテリー装着室Ｂが配置される。
【００７２】
前記貯蔵タンク固定部１７０は、貯蔵タンク加圧板１７１に突設されて前記貯蔵タンク１１０と接する加圧板突起１７３、及び前記貯蔵タンク加圧板１７１を前記外部ケース１３０に着脱可能に結合させる締結具１７６を備えている。
【００７３】
図５には、充電コネクタの一実施形態が適用された携帯用水分供給装置１００の底面図が示されている。
【００７４】
本発明による携帯用水分供給装置１００は、電気エネルギーを通じて駆動されるが、その電気エネルギーは、前記外部ケース１３０の下端部の内側に備えられたバッテリー装着室Ｂに装着されたバッテリーから供給されうる。
【００７５】
ここで、前記バッテリー装着室Ｂに装着されたバッテリーが充電池である場合には、別途充電器を備えなくても充電できるように、前記外部ケース１３０の下端の一側に前記バッテリー装着室Ｂと電気的に連設されている充電コネクタＣが更に備えられうる。
【００７６】
本発明の単純な変形又は変更は当業者によって容易に実施されることができ、そのような変形や変更は本発明の技術的範囲に含まれる。
【産業上の利用可能性】
【００７７】
本発明は、振動素子及びそれを含む携帯用水分供給装置に関連する技術分野に適用可能である。
【符号の説明】
【００７８】
１０：振動素子                      ２０：弾性ハウジング
２２：貫通孔                        ２４：排出口挿入管
４２：振動部                        ４４：下部電極
４６：環状の超音波振動子            １００：携帯用水分供給装置
１１０：貯蔵タンク                  １１２：容器
１１４：排出部                      １１７：磁石
１３０：外部ケース                  １３１：貯蔵タンク収納室
１３２：噴霧孔                      １３４：噴霧管
１３６：パッキング固定バー          １５２：電源ボタン
１５６：蓋                          １６０：制御部
１７０：貯蔵タンク固定部            １７１：貯蔵タンク加圧板
１７３：加圧板突起                  １７６：締結具
ｈ：液放出孔                        Ｂ：バッテリー装着室
Ｃ：充電コネクタ                    Ｌ：発光手段
【図１】
2011156528.tif 000003
【図２】
2011156528.tif 000004
【図３】
2011156528.tif 000005
【図４】
2011156528.tif 000006
【図５】
2011156528.tif 000007